(57)【要約】【課題】既存放送設備を利用して簡便な構成により、遠隔地からも緊急放送を行うことを可能とする。【解決手段】無線携帯端末から調整卓制御信号を入力する制御入力端子と、制御入力端子に入力した調整卓制御信号により作動するスイッチ手段と、無線携帯端末から音声信号を入力するミキシング手段と、放送設備から音声信号を入力する音声入力端子と、放送設備へ放送制御信号を出力する第一制御出力端子とを有する調整卓制御器とした。【選択図】図２
2007020129.tif 000002
【特許請求の範囲】
【請求項１】
チャイム等の音声出力器から出力された音声信号を増幅手段を介して複数のスピーカーへ出力可能な放送設備を有する放送システムであって、
無線携帯端末から送信される音声信号と前記音声出力器から出力される音声信号とのいずれか一方を選択して前記増幅手段へ出力する調整卓制御器を備え、
前記調整卓制御器は、前記無線携帯端末からの制御信号を入力したとき、前記無線携帯端末から送信される音声信号を選択して前記増幅器へ出力することにより前記複数のスピーカーから一斉放送を行わせることを特徴とする放送システム。
【請求項２】
前記調整卓制御器は、前記無線携帯端末からの制御信号を入力したとき、前記放送設備を起動させることを特徴とする請求項１に記載の放送システム。
【請求項３】
前記無線携帯端末から出力される無線信号を受信し、この無線信号から音声信号と制御信号とを抽出するアンテナ制御器を備え、
前記調整卓制御器は、前記アンテナ制御器から制御信号を入力した後所定期間の経過後に、前記放送設備を起動して一斉放送を行わせることを特徴とする請求項１又は請求項２に記載の放送システム。
【請求項４】
前記無線携帯端末を複数設け、前記各無線携帯端末は、相互通話を行う第一チャンネルと、前記アンテナ制御機器と通信を行う第二チャンネルとを用いて通信を行なうことを特徴とする請求項１〜３のいずれか１項に記載の放送システム。
【請求項５】
無線携帯端末から送信された信号に基づいて放送設備を作動させ、放送設備から入力した音声信号を無線携帯端末から入力した音声信号に切替えて一斉放送を行なう緊急放送用の調整卓制御器であって、
前記調整卓制御器は、前記無線携帯端末から制御信号を入力する制御入力端子と、前記制御入力端子に入力した制御信号により作動するスイッチ手段と、前記無線携帯端末から入力した音声信号を入力するミキシング手段と、前記放送設備から音声信号を入力する音声入力端子と、前記放送設備を起動するための制御信号を出力する第一制御出力端子とを備え、
前記スイッチ手段が作動することにより、前記音声入力端子から入力した音声信号を前記ミキシング手段から入力した音声信号へ切替えて前記放送設備へ音声信号が出力されることを特徴とする緊急放送用の調整卓制御器。
【請求項６】
音声記録手段を更に備え、前記音声記録手段から前記ミキシング手段へ音声信号が出力されることを特徴とする請求項５に記載の緊急放送用の調整卓制御器。
【請求項７】
前記ミキシング手段は、前記音声記録手段から入力した音声信号に前記無線携帯端末から入力した音声信号を重畳して出力することを特徴とする請求項５又は請求項６に記載の緊急放送用の調整卓制御器。
【請求項８】
第１タイマー手段を更に備え、前記制御入力端子に入力した制御信号を契機に前記第１タイマー手段が起動し、前記制御信号が所定期間維持したことを契機に前記第１タイマー手段により前記スイッチ手段が作動することを特徴とする請求項５〜７のいずれか１項に記載の緊急放送用の調整卓制御器。
【請求項９】
第２タイマー手段を更に備え、前記制御入力端子に入力した制御信号が中止したことを契機に前記第２タイマー手段が起動し、所定期間の経過後に前記第２タイマー手段により前記スイッチ手段の作動が停止されることを特徴とする請求項５〜８のいずれか１項に記載の緊急放送用の調整卓制御器。
【請求項１０】
第３タイマー手段を更に備え、前記スイッチ手段が作動したことを契機に前記第３タイマー手段が起動し、所定期間の経過後に前記第３タイマー手段により前記音声記録手段へ起動信号が出力されることを特徴とする請求項６又は請求項７に記載の緊急放送用の調整卓制御器。
【請求項１１】
第４タイマー手段を更に備え、前記音声記録手段へ出力された起動信号と同期して前記第４タイマー手段が起動し、所定期間の経過後に前記第４タイマー手段により前記音声記録手段へ出力された起動信号が停止されることを特徴とする請求項６、７、１０のいずれか１項に記載の緊急放送用の調整卓制御器。
【請求項１２】
前記放送設備へ制御信号を出力するための第二制御出力端子を更に備え、前記スイッチ手段が作動することにより、前記放送設備が有する複数の放送エリアを前記制御信号により選択して特定の放送エリアに対して一斉放送を行う請求項５〜１１のいずれか1項に記載の緊急放送用の調整卓制御器。
【発明の詳細な説明】
【技術分野】
【０００１】
本発明は、無線携帯端末から緊急時に学校等の放送システムによって緊急放送を行う調整卓制御器及び放送システムに関する。
【背景技術】
【０００２】
学校や保育園などの校舎内で行われる構内行事や、校庭やプールなどで行われる構外行事などにおいて、生徒や園児の事故等が発生した場合や、火災等の異常事態が発生した場合などに、学校や保育園に早期に連絡し緊急対応措置を取る必要が生ずる場合がある。しかし、このような緊急事態に電話等で連絡をとろうとしても、担当職員が電話の近くに不在で連絡が取れない、あるいは、連絡がとれたとしても放送設備等を取り扱うことができる者の所在が不明で緊急連絡ができない、などの不具合が発生する場合が生じた。
【０００３】
このような事態に対処するために、トランシーバー等の無線端末を用いて離れたところから構内警報装置を起動して警報を発報させる、あるいは無線端末から音声を送信して一斉放送を行う、等の装置が知られている。（例えば特許文献１を参照）。
【０００４】
この装置においては、トランシーバーからの無線をトラシーバー固定局が受信し、トランシーバーからの特定音声を受信すると放送設備を作動させてトランシーバーからの音声を放送装置に入力して一斉放送を行う、あるいは警報装置を作動させる、というものである。トランシーバーはエンコーダーを備え、通常の音声と識別可能な音声域の特定波長周波数の特定音声を音声送信部へ出力してトランシーバー固定局へ送信する。トランシーバー固定局の受信部はデコーダーを備え、受信した音声に特定音声がある場合に検出信号を出力して放送設備を起動し、放送設備により一斉放送を行うことができる。また一斉放送と同様に、トランシーバー固定局のデコーダーが特定音声を検出した場合に、警報装置を起動し一斉警報を発報する。
【０００５】
また、緊急時に携帯型送信機から電波を送信し、あらかじめ識別符号が割り当てられた複数の受信装置を構内の各所に設置し、携帯送信機から発せられた電波を受信した受信装置とその電波の強度を検出して、携帯送信機が電波を発信した場所を特定し、配設位置表示に電波を発生した携帯型送信機の場所を表示するという緊急事態に対応する装置が知られている（例えば特許文献２を参照）。
【特許文献１】実用新案登録第３０８９０３３号公報
【特許文献２】特開２００３−１０９１６３号公報
【発明の開示】
【発明が解決しようとする課題】
【０００６】
しかしながら上記の公知例においては、トランシーバーから放送設備を起動する接続信号を特定音声に変調して送信し、トランシーバー固定局では受信した音声信号をデコーダーで解析し特定音声を受信したときに、放送設備や警報装置を起動する。そのために、この放送システムにおいては通常使用される無線携帯端末であるトランシーバーや、通常使用されているトランシーバー固定局を適用することができないという課題があった。即ち、トランシーバーから放送設備や警報装置を作動させるための作動信号をエンコーダーで特定音声に変換する必要があるとともに、トランシーバー固定局ではその特定音声を検出するためのデコーダーを設ける必要があり、既存の放送設備や既存のトランシーバーを適用することが困難であった。
【０００７】
また、緊急放送時に携帯送信機から電波を発信し、発信した場所を特定するシステムの場合には、専用の受信装置を構内各所に設置しなければならず、実施するためには新たに専用の警報装置やその制御装置を設けなければならないという、という課題があった。
【課題を解決するための手段】
【０００８】
本発明は上記課題を解決するために以下の手段を講じた。
【０００９】
請求項１に係る本発明においては、チャイム等の音声出力器から出力された音声信号を増幅手段を介して複数のスピーカーへ出力可能な放送設備を有する放送システムであって、無線携帯端末から送信される音声信号と前記音声出力器から出力される音声信号とのいずれか一方を選択して前記増幅手段へ出力する調整卓制御器を備え、前記調整卓制御器は、前記無線携帯端末からの制御信号を入力したとき、前記無線携帯端末から送信される音声信号を選択して前記増幅器へ出力することにより前記複数のスピーカーから一斉放送を行わせることを特徴とする放送システムとした。
【００１０】
請求項２に係る本発明においては、前記調整卓制御器は、前記無線携帯端末からの制御信号を入力したとき、前記放送設備を起動させることを特徴とする請求項１に記載の放送システムとした。
【００１１】
請求項３に係る本発明においては、前記無線携帯端末から出力される無線信号を受信し、この無線信号から音声信号と制御信号とを抽出するアンテナ制御器を備え、  前記調整卓制御器は、前記アンテナ制御器から制御信号を入力した後所定期間の経過後に、前記放送設備を起動して一斉放送を行わせることを特徴とする請求項１又は請求項２に記載の放送システムとした。
【００１２】
請求項４に係る本発明においては、前記無線携帯端末を複数設け、前記各無線携帯端末は、相互通話を行う第一チャンネルと、前記アンテナ制御機器と通信を行う第二チャンネルとを用いて通信を行なうことを特徴とする請求項１〜３のいずれか１項に記載の放送システムとした。
【００１３】
請求項５に係る本発明においては、無線携帯端末から送信された信号に基づいて放送設備を作動させ、放送設備から入力した音声信号を無線携帯端末から入力した音声信号に切替えて一斉放送を行なう緊急放送用の調整卓制御器であって、前記調整卓制御器は、前記無線携帯端末から制御信号を入力する制御入力端子と、前記制御入力端子に入力した制御信号により作動するスイッチ手段と、前記無線携帯端末から入力した音声信号を入力するミキシング手段と、前記放送設備から音声信号を入力する音声入力端子と、前記放送設備を起動するための制御信号を出力する第一制御出力端子とを備え、前記スイッチ手段が作動することにより、前記音声入力端子から入力した音声信号を前記ミキシング手段から入力した音声信号へ切替えて前記放送設備へ音声信号が出力されることを特徴とする緊急放送用の調整卓制御器とした。
【００１４】
請求項６に係る本発明においては、音声記録手段を更に備え、前記音声記録手段から前記ミキシング手段へ音声信号が出力されることを特徴とする請求項５に記載の緊急放送用の調整卓制御器とした。
【００１５】
請求項７に係る本発明においては、前記ミキシング手段は、前記音声記録手段から入力した音声信号に前記無線携帯端末から入力した音声信号を重畳して出力することを特徴とする請求項５又は請求項６に記載の緊急放送用の調整卓制御器とした。
【００１６】
請求項８に係る本発明においては、第１タイマー手段を更に備え、前記制御入力端子に入力した制御信号を契機に前記第１タイマー手段が起動し、前記制御信号が所定期間維持したことを契機に前記第１タイマー手段により前記スイッチ手段が作動することを特徴とする請求項５〜７のいずれか１項に記載の緊急放送用の調整卓制御器とした。
【００１７】
請求項９に係る本発明においては、第２タイマー手段を更に備え、前記制御入力端子に入力した制御信号が中止したことを契機に前記第２タイマー手段が起動し、所定期間の経過後に前記第２タイマー手段により前記スイッチ手段の作動が停止されることを特徴とする請求項５〜８のいずれか１項に記載の緊急放送用の調整卓制御器とした。
【００１８】
請求項１０に係る本発明においては、第３タイマー手段を更に備え、前記スイッチ手段が作動したことを契機に前記第３タイマー手段が起動し、所定期間の経過後に前記第３タイマー手段により前記音声記録手段へ起動信号が出力されることを特徴とする請求項６又は請求項７に記載の緊急放送用の調整卓制御器とした。
【００１９】
請求項１１に係る本発明においては、第４タイマー手段を更に備え、前記音声記録手段へ出力された起動信号と同期して前記第４タイマー手段が起動し、所定期間の経過後に前記第４タイマー手段により前記音声記録手段へ出力された起動信号が停止されることを特徴とする請求項６、７、１０のいずれか１項に記載の緊急放送用の調整卓制御器とした。
【００２０】
請求項１２に係る本発明においては、前記放送設備へ制御信号を出力するための第二制御出力端子を更に備え、前記スイッチ手段が作動することにより、前記放送設備が有する複数の放送エリアを前記制御信号により選択して特定の放送エリアに対して一斉放送を行う請求項５〜１１のいずれか1項に記載の緊急放送用の調整卓制御器とした。
【発明の効果】
【００２１】
本発明の放送システムによれば、既存の無線携帯端末や放送設備を利用して、これに調整卓制御器を付加し、無線携帯端末の送信スイッチが押圧されたことを受信して制御信号を発生させ、この制御信号に基づいて調整卓制御器のスイッチ手段を作動させ、チャイム等の音声出力部から出力された音声信号を、無線携帯端末から送信された音声信号へ切替えて一斉放送することができる。そのために、新たに専用無線携帯端末を作成し、専用の発報装置あるいは放送設備を設置する必要がないという利便性を有する。
【００２２】
また、無線携帯端末は複数の無線携帯端末から構成され相互に通信を行うことができるので、緊急時に放送システムで一斉放送を行うとともに、相互に連絡して緊急事態に対応することができるという利便性を備えている。
【００２３】
また、本発明の調整卓制御器によれば、調整卓制御器を既存放送設備に外付けすることにより、通常の放送と緊急用時の無線信号による放送を切替えて放送することができるので、通常の放送設備をそのまま利用することができ、簡便に緊急放送システムを構築することができる。
【００２４】
また、本発明の調整卓制御器は、無線携帯端末からの無線信号に基づく制御信号により作動するスイッチ手段と、音声記録手段と、ミキシング手段とを備え、緊急放送時に特定の音声を自動的に放送設備へ送信できるとともに、無線信号から抽出された音声を音声記録手段からの特定音声に重畳し、あるいは単独で放送することができるので、緊急放送時に放送する音声の種類を多様に選択設定することができる。
【００２５】
また、本発明の調整卓制御器はタイマー手段を備え、無線携帯端末の操作者が誤って緊急放送用のチャンネルを選択し、送信スイッチを押圧して無線信号を送信した場合であっても、操作者が所定期間内に送信スイッチの押圧を解除して無線信号の送信を中止すれば緊急放送の作動を回避することができるので、緊急放送の誤作動を防止することができる。
【００２６】
また、本発明の調整卓制御器は他のタイマー手段を備え、無線携帯端末からの無線信号が停止した後の所定期間の経過後に、通常放送状態に自動的に復帰することができるので、通常放送時に係員が改めて装置を通常状態に設定し直す必要がないという利便性を備えている。
【００２７】
その他本発明による効果は、以下に説明する実施の形態により明らかにされる。
【発明を実施するための最良の形態】
【００２８】
以下、本発明の実施の形態について説明する。なお、以下の説明において理解を容易にするために、アンテナ制御器から調整卓制御器に対する制御信号を制御卓制御信号と、また、調整卓制御器から放送設備への制御信号を放送制御信号という。
【００２９】
本発明の実施の形態においては、学校やビルディングの構内放送設備や、地域向け放送設備等に緊急放送用の調整卓制御器を接続し、無線携帯端末からの信号によって緊急放送を行うというものである。
【００３０】
本発明の実施の形態における調整卓制御器は、スイッチ手段とミキシング手段を備えている。調整卓制御器は放送設備から出力された音声信号を入力するとともに、無線携帯端末から出力された音声信号とを入力する。無線携帯端末から入力した音声信号はミキシング手段へ出力されている。調整卓制御器は、無線携帯端末から調整卓制御信号を入力していないときは、放送設備から入力する音声信号を放送設備へそのまま出力している。すなわち、チャイム発生手段やマイク等の音声発生手段からの音声信号を調整卓制御器が入力し、この音声信号を放送設備の増幅手段へそのまま出力する。そして、調整卓制御器が無線携帯端末から出力された調整卓制御信号を入力するとスイッチ手段が作動する。スイッチ手段が作動すると、放送設備を起動させるための放送制御信号を放送設備へ出力するとともに、放送設備から入力した音声信号を切り替えて、ミキシング手段を経由した無線携帯端末から入力した音声信号を選択して放送設備へ出力する。すなわち、本実施例における調整卓制御器は、調整卓制御信号を入力していない場合には、放送設備からの音声信号を返却するようにして放送設備へ出力し、調整卓制御信号を入力した場合には、無線携帯端末からの音声信号を放送設備へ出力するように構成されている。
【００３１】
他の本発明の実施の形態においては、調整卓制御器が更に音声記録手段を有している。音声記録手段の出力はミキシング手段へ記録された音声を出力する構成をとっている。調整卓制御器が無線携帯端末から調整卓制御信号を入力すると、スイッチ手段が作動して音声記録手段が起動し、放送設備へ記録された音声を出力する。従って、例えば、無線携帯端末から緊急信号が入った場合には、特定のチャイム、あるいは音楽が放送されるようにあらかじめ設定することができる。さらに、無線携帯端末からの音声信号がミキシング手段に入力されているので、上記特定の音声に重畳して無線携帯端末からの音声を放送設備へ出力して、緊急の校内放送を行うことができる。
【００３２】
他の本発明の実施の形態においては、調整卓制御器がタイマー手段を備えている。このタイマー手段は、無線携帯端末からの調整卓制御信号を入力すると起動し、入力があらかじめ設定された期間維持されたときに、スイッチ手段を作動させる。こうすることにより、無線携帯端末の操作者が誤って緊急放送用の設定を無線携帯端末に対して行ったとしても、その後誤操作を行ったことに気がつけば、その設定を解除することにより、不要な緊急放送を回避することができる。
【００３３】
他の本発明の実施の形態においては、調整卓制御器が他のタイマー手段を備えている。無線携帯端末からの調整卓制御信号を入力して緊急放送を可能にした後、この制御信号の入力が中止されたときからタイマー手段が起動し、所定期間の経過後にスイッチ手段の動作を停止する。このようにすることにより、無線携帯端末から緊急放送を行った後に放送設備が緊急放送に設定された状態を自動的に解除することができ、通常の放送を行うために放送設備の再設定を行う必要がない。
【００３４】
他の本発明の実施の形態においては、無線携帯端末と、アンテナ制御器と、上記調整卓制御器と、放送設備を備えた放送システムである。本放送システムにおいては、無線携帯端末から緊急無線を受けたアンテナ制御器は、音声信号と調整卓制御信号とを調整卓制御器に送信し、調整卓制御器はアンテナ制御器からの調整卓制御信号によりスイッチ手段を作動させ、放送設備を起動するとともに、放送設備からの音声信号をアンテナ制御器からの音声信号のいずれか一方に切替えて選択しミキシング手段を経由して放送設備へ音声信号を出力する、というものである。
【００３５】
更に他の本実施の形態においては、放送設備は調整卓制御器からの音声信号を増幅する増幅手段、音声出力器であるマイクやチャイム発生手段、放送機器を備えており、調整卓制御器からの制御信号により増幅手段、音声発生部であるチャイム発生手段を起動させて放送設備を起動する。また、無線携帯端末は複数の無線携帯端末からなり、かつ、複数のチャンネルを有し、例えば第一チャンネルを使用して相互に通信を行うことができるとともに、第二チャンネルを使用して調整卓制御器のスイッチ手段を作動させて緊急放送を行うことができる。
【００３６】
以下、本発明の実施の形態について、図１の放送システム１の機能ブロック図及び図２の調整卓制御器８の機能ブロック図を用いて詳細に説明する。
【００３７】
まず、本発明の実施の形態における放送システム１の概要を図１により概説する。例えばトランシーバーからなる無線携帯端末２又は３のＰＴＴ（Ｐｕｓｈｕ  Ｔｏ  Ｔａｌｋ）スイッチが押されると、無線携帯端末２又は３は無線信号４を送信して送信状態となる。アンテナ制御器５は、無線信号４を受信すると調整卓制御器８へ調整卓制御信号７を出力し、また、無線信号４に音声信号が含まれているときはこれを抽出して音声信号６を調整卓制御器８へ出力する。調整卓制御器８は、放送設備２１から音声信号を入力する第一音声入力端子９と、アンテナ制御器５から音声信号を入力する第二音声入力端子１０と、調整卓制御信号７を入力する第一制御入力端子１１及び第二制御入力端子１２とを備えている。調整卓制御器８は、更にスイッチ手段１３、ミキシング手段１４を備え、放送設備２１へ放送制御信号１９を出力するための第一制御出力端子１５及び第二制御出力端子１６、及び、音声信号２０を放送設備２１へ出力する音声出力端子１７を備えている。
【００３８】
放送設備２１は、調整卓制御器８の音声出力端子１７から出力された音声信号２０を入力して増幅する増幅手段２４と、所定時間にチャイム音を発生するチャイム発生手段２３、任意に放送することができるマイク３２、設置場所の異なるスピーカー又は警報器２５、２６を備えている。そして、緊急時の緊急放送においては、無線携帯端末２又は３からの無線信号４をアンテナ制御器５が受信し、調整卓制御信号７を調整卓制御器８に出力して、調整卓制御器８のスイッチ手段１３を作動させる。調整卓制御器８のスイッチ手段１３が作動すると、放送設備２１から第一音声入力端子９を介して入力した音声信号１８を、アンテナ制御器５から第二音声入力端子１０を介して入力した音声信号６いずれか一方に切替えて選択し、音声出力端子１７を介して放送設備２１へ音声信号２０を出力する。スイッチ手段の作動が停止している通常状態においては、放送設備２１からの音声信号１８は、そのまま音声信号２０として放送設備２１へ出力されている。
【００３９】
次に、本発明の実施の形態における調整卓制御器８について、図２の機能ブロック図により、説明する。
【００４０】
本発明の実施の形態における調整卓制御器８は、放送設備２１から音声信号１８を入力する第一音声入力端子９と、無線携帯端末２又は３から音声信号６を入力する第二音声入力端子１０と、第二音声入力端子１０から音声信号を入力するミキシング手段１４と、記録された音声信号をミキシング手段１４へ出力する音声記録手段２８を有する。調整卓制御器８は更に、無線携帯端末２又は３からの調整卓制御信号７を入力する第一制御入力端子１１と第二制御入力端子１２、スイッチ手段１３を駆動する電源２７、放送設備２１を制御するための放送制御信号１９を出力するための第一制御出力端子１５及び第二制御出力端子１６、放送設備２１へ音声信号を出力する音声出力端子１７を有している。
【００４１】
調整卓制御器８は更にT１からT５のタイマー手段を備えている。タイマー手段T1は第一制御入力端子１１へ調整卓制御信号７が入力されたことを契機に起動し、所定期間入力が維持されたときスイッチ手段１３を作動させる。タイマー手段T２は、調整卓制御信号７の入力が中止したことを契機に起動し、所定期間の経過後にスイッチ手段１３の作動を停止する。タイマー手段T３は、スイッチ手段１３が作動したことを契機に起動し、所定期間の経過後に音声記録手段２８へ起動信号を出力して音声記録手段２８を起動し、タイマー手段T４は、タイマー手段T３へ出力された起動信号と同期して起動し、所定期間の経過後に音声記録手段２８への起動信号を停止する。タイマー手段T５は、無線携帯端末２又は３からの調整卓制御信号７が停止したときに起動し、所定期間の経過後にスイッチ手段１３の作動を停止する。
【００４２】
次に、図３のフローチャート図を用いて、本発明の実施の調整卓制御器８の動作を詳細に説明する。
【００４３】
無線携帯端末２又は３が操作され、緊急放送用の無線信号４をアンテナ制御器５が受信し（ステップS１）、調整卓制御信号７が調整卓制御器８の第一制御入力端子１１に入力される（ステップS２）。すると、調整卓制御信号７を契機にしてタイマー手段T１が起動し待ち状態を維持する（ステップS３）。調整卓制御信号７の入力が所定期間、例えば３秒間維持されたことを契機としてタイマー手段T１はスイッチ手段１３をONして作動させる（ステップS４）。この設定された３秒の期間内に調整卓制御信号７がOFFとなって停止すると、タイマー手段T１はスイッチ手段１３をONさせずに、停止した状態が維持される。これにより、無線携帯端末２又は３の操作者が誤って緊急放送信号を発生させたとしても、所定期間内に気がついて調整卓制御信号７を停止させることにより、誤操作を回避することができる。
【００４４】
スイッチ手段１３が作動すると、例えば放送設備２１を起動するための放送制御信号１９を第一制御出力端子１５へ出力し（ステップS６）、これに同期して、放送設備２１へ音声信号２０を出力する音声出力端子１７と、放送設備２１から音声信号１８を入力する第一音声入力端子９との電気的接続を切断して、音声出力端子１７とミキシング手段１４の出力とを接続する（ステップS５）。その結果、ミキシング手段１４の音声出力が放送設備２１へ出力される。ミキシング手段１４へは、第二音声入力端子１０を介して無線携帯端末２や３からの音声信号が出力されているので、放送設備２１に対して無線携帯端末２や３から緊急放送を行うことができる。
【００４５】
放送設備２１を起動させるとともに（ステップS６）、第一制御出力端子１５に放送制御信号１９を出力することができる（ステップS７）。例えば、放送設備２１の放送機器２２を制御して、特定領域の複数のスピーカー２５をONにして緊急放送を行い、他の領域の複数のスピーカー２６をOFFにして緊急放送を行わないように設定することができる。
【００４６】
スイッチ手段１３が作動したことを契機にタイマー手段T３が起動し、所定期間、例えば５秒経過後に（ステップS８）、音声記録手段２８に起動信号を出力して起動する（ステップS９）。音声記録手段２８の出力はミキシング手段１４に出力される。音声記録手段２８には緊急時の特定チャイムを再生するように設定しておけば、放送設備２１が通常行うチャイムとは異なるチャイム、警報音を発報させることができるとともに、無線携帯端末２又は３からの音声信号６を重畳して放送することもできる。
【００４７】
音声記録手段２８の起動信号と同期して、タイマー手段T４が起動して所定期間の経過後に（ステップS１０）、音声記録手段２８への起動信号を停止する（ステップS11）。なお、音声記録手段２８がOFFした後もスイッチ手段１３が作動している限り、無線携帯端末２又は３からの音声信号６を継続して放送することができる。
【００４８】
一方、第一制御入力端子１１への調整卓制御信号７の入力が中止してOFFすると（ステップS１２）、この調整卓制御信号７の入力が中止したことを契機にしてタイマー手段T２が起動する（ステップS１３）。例えばタイマー手段T２を３分に設定しておけば、調整卓制御信号７が継続して３分間継続して中止した場合に（ステップS１４）、スイッチ手段１３の作動を停止してOFFにする（ステップS１５）。これにより、音声出力端子１７への音声信号は、ミキシング手段１４の出力から第一音声入力端子９からの出力に切替えられ、放送設備２１から入力した音声信号１８が放送設備２１へ出力されることになる（ステップS１６）。同時に、放送設備２１へ出力される放送制御信号１９が第一制御出力端子１５から出力され、例えば放送設備２１を停止してOFFする（ステップS１７）。同様に、第二制御出力端子１６から外部へ出力する放送制御信号１９も停止してOFFする（ステップS１８）。
【００４９】
上記の説明において、第一制御出力端子１５からの放送制御信号１９により放送設備２１の動作を停止する例について説明したが、放送設備２１の動作を停止することなく維持してもよい。調整卓制御器８の動作が停止した後は、放送設備２１からの音声信号１８は調整卓制御器８の第一音声入力端子９に入力し、そのまま音声出力端子１７を介して放送設備２１へ出力されているから、放送設備２１は通常の動作を行うことができる。
【００５０】
次に、図４のフローチャート図を用いて、本発明の調整卓制御器８の他の動作を詳細に説明する。
【００５１】
まず、アンテナ制御器５が無線携帯端末２又は３から緊急放送用の信号を受信し（ステップS１９）、調整卓制御信号７が調整卓制御器８の第二制御入力端子１２へ入力され（ステップS２０）、スイッチ手段１３が作動する（ステップS２１）。スイッチ手段１３が作動するとミキシング手段１４からの音声信号が音声出力端子１７に出力され（ステップS２２）、放送設備２１へ出力される。また、放送設備２１に対しては放送制御信号１９が第一制御出力端子１５から出力され、放送設備２１が起動する（ステップS２３）。第二制御出力端子１６に対しても放送制御信号１９が出力される（ステップS２４）。その結果、無線携帯端末２又は３からの音声信号６が第二音声入力端子１０を介してミキシング手段１４に入力されるので、無線携帯端末２又は３からの音声信号６を放送設備２１において放送することができる。
【００５２】
即ち、本実施の形態においては、無線携帯端末２又は３からの信号により待ち期間なしにスイッチ手段１３が作動し、放送設備２１を起動して立ち上げ、無線携帯端末２又は３から音声信号６を構内放送あるいは地域向けの放送として一斉放送を行うことができるようにしている。
【００５３】
一方、第二制御入力端子１２に入力された調整卓制御信号７の入力が中止すると（ステップS２５）、タイマー手段T５が起動し（ステップＳ２６）、所定時間、例えば５分経過後に（ステップＳ２７）、スイッチ手段１３の作動を停止する（ステップＳ２８）。これにより、調整卓制御器８の音声出力端子１７から出力される音声信号２０は、放送設備２１から調整卓制御器８の第一音声入力端子９に入力された音声信号１８が出力され（ステップＳ２９）、第一制御出力端子１５から放送制御信号１９を出力して放送設備２１の動作を停止してＯＦＦにする（ステップＳ３０）。また、同時に第二制御出力端子１６から放送制御信号１９を出力して放送設備２１の他の制御、例えば、特定領域の複数のスピーカー２５への放送の制限を解除する（Ｓ３１）。
【００５４】
なお、上記の図３のフローチャート図で説明した動作と、図４のフローチャート図で説明した動作との両方の動作を行うことができるように構成することができる。即ち、アンテナ制御器５から調整卓制御器８が第一制御信号と第二制御信号を受けて、第一制御信号を受けた場合には図３に示した動作を行い、第二制御信号を受けた場合は、図４に示した動作を一台の調整卓制御器が動作するように調整卓制御器８を構成することができる。
【００５５】
本発明の実施の形態である放送システムについて、更に具体的に説明する。
【００５６】
無線携帯端末２又は３として、トランシーバーを使用することができる。無線携帯端末２又は３は多チャンネルを利用することができるようにする。例えば複数の無線携帯端末２及び３を設け、第一チャンネルを選択したときは、無線携帯端末２と無線携帯端末３との間で双方向において相互に通信を行うことができるようにする。第二チャンネルはアンテナ制御器５に信号を送信するチャンネルとして利用することができる。こうすることにより、例えば学校の遠足で学年別、あるいは学級別に異なる地域への遠足の場合であっても、互いに通信を行うことができ、また、非常時には学校の校内放送を緊急放送に切り替えて応援を求めたり、学校の教員その他の職員に非常時における指示を出すことができる。
【００５７】
また、無線携帯端末２又は３として、音声による通話を行う必要がない場合には、単に緊急用のスイッチとして機能する無線携帯端末を使用することができる。この場合は、アンテナ制御器５からは調整卓制御信号７のみを出力し、この出力により、例えば調整卓制御器８の音声記録手段２８を起動させて、記録された所定の音声信号を放送設備２１に出力することができる。
【００５８】
無線携帯端末２又は３としてトラシーバーを使用する場合は、送信用の押圧スイッチであるＰＴＴスイッチを押圧して音声信号を含む無線信号４をアンテナ制御器５へ送信する。例えば緊急通信用のチャンネル２を選択し、押圧スイッチを所定期間、例えば３秒間押し続けることにより、アンテナ制御器５から調整卓制御器８へ出力された調整卓制御信号７が維持されて調整卓制御器８を作動させ、放送設備２１へ音声記録手段２８から特定の緊急音を発報させ、そしてトランシーバーからの音声による一斉放送を行うようにすることができる。
【００５９】
アンテナ制御器５は、無線信号４を受信すると調整卓制御器８へ調整卓制御信号７を出力し、また、無線信号４に音声信号が含まれているときはこれを抽出して音声信号６を調整卓制御器８へ出力する。調整卓制御信号７としては、例えば、更に利用できるチャンネルを増加させることにより、種類の異なる調整卓制御信号７を調整卓制御器８に出力することができる。これにより、更に複雑な制御を行うようにすることができる。
【００６０】
放送設備２１は、放送機器２２、チャイム発生手段２３、音声を増幅する増幅手段２４、異なるエリアに設置されているスピーカー２５、２６等を備えている。調整卓制御器８のスイッチ手段１３が作動すると、第一制御出力端子１５から放送制御信号１９が出力され、チャイム発生手段２３及び増幅手段２４を起動させ、次に、放送機器２２も起動させるようにすることができる。また、調整卓制御器８からの音声出力を増幅手段２４に入力し、放送機器２２へ出力することができる。
【００６１】
更に、第二制御出力端子１６からの放送制御信号１９を利用して、特定エリアのスピーカー２５又は２６のみから放送することができるように放送機器２２を制御することができる。例えば、構内エリアの発報を禁止して、プールや運動場の構外エリアのみに対して一斉放送を行うようにすることができる。
【００６２】
図５は、調整卓制御器８の具体的な回路図を示す。以下、回路構成とその動作について具体的に説明する。
【００６３】
電源２７は、コンセント５１、１２Ｖの電源５２、５Ｖレギュレータ５３、ダイオードＤ２、Ｄ３などから構成されている。スイッチ手段１３は、トランジスタＱ１、Ｑ２、及び、リレーＲ１、Ｒ２、Ｒ３、Ｒ４、Ｒ５、Ｒ６、Ｒ７、Ｒ８から構成されている。また、タイマー手段Ｔ１はタイマーリレーＴＲ１、タイマー手段Ｔ２はタイマーリレーＴＲ２、タイマー手段Ｔ３はタイマーリレーＴＲ３、タイマー手段Ｔ４は容量Ｃ２とダイオードＤ７、Ｄ８及びリレーＲ９の抵抗から、タイマー手段Ｔ５は容量Ｃ１、抵抗ＲＳ１及びトランジスタQ2からそれぞれ構成されている。
【００６４】
本調整卓制御器８は基本的に第一制御入力端子１１からの調整卓制御信号７に基づく動作と、第二制御入力端子１２からの調整卓制御信号７に基づく動作との二系統の入力に基づく動作を行う。
【００６５】
第一制御入力端子１１に制御信号が入力されると、トランジスタＱ１のコレクタ、エミッター間に電流が流れてリレーＲ１、Ｒ２が作動する。これに伴って、リレーＲ３、Ｒ４、Ｒ５、Ｒ６、Ｒ８が作動する。なお、リレーＲ３は自己保持型リレーである。その結果、リレーＲ４により、タイマーリレーＴＲ３が起動し、設定時間後にＯＮになり、リレーＲ９を起動させ、ＩＣレコーダー２８を起動する。  リレーＲ５によって音声出力端子１７とミキシング手段１４である４チャンネルミキサーの出力とが電気的に接続してミキシング手段１４からの音声信号が音声出力端子１７から出力され、ＩＣレコーダー２８がタイマー手段Ｔ３であるタイマーリレーＴＲ３により所定時間後に起動し、また、リレーＲ６、リレーＲ８により第一制御出力端子１５及び第二制御出力端子１６の各端子を短絡して外部機器の動作を制御することができる。
【００６６】
第二制御入力端子１２に制御信号が入力されると、トランジスタＱ２のコレクタ、エミッター間に電流が流れてリレーＲ１０、Ｒ５、Ｒ６、Ｒ７が作動する。その結果、リレーＲ５により音声出力端子１７へミキシング手段１４からの音声出力が出力され、リレーＲ６により第一制御出力端子１５の端子を短絡させ、第三制御出力端子３０の端子も短絡させて外部機器の動作を制御することができる。
【００６７】
以下、より具体的に調整卓制御器８の動作を説明する。
【００６８】
トランシーバー等の無線携帯端末２又は３から無線信号４をアンテナ制御器５が受信すると、調整卓制御器８の第一制御入力端子１１へ５ボルトの調整卓制御信号７を出力する。調整卓制御信号７が入力されると、トランジスタＱ１のベースに電圧がかかり、リレーＲ１が動作し、リレーＲ２も同時に動作する。タイマー手段Ｔ１であるタイマーリレーＴＲ１へ電圧がかかる。
【００６９】
タイマーリレーＴＲ１の設定時間が経過すると（１秒から４秒）リレーがＯＮとなり、リレーＲ３に電圧がかかる。リレーＲ３に電圧がかかるとタイマー手段Ｔ２であるタイマーリレーＴＲ２の接点より電圧がかかりリレーＲ３が自己保持する。リレーＲ４、Ｒ５、Ｒ６、Ｒ８が動作し、リレーＲ４の動作によりとリレーＲ２のセンター接点に電圧がかかり、同時にタイマー手段Ｔ３であるタイマーリレーＴＲ３が動作する。タイマーリレーＴＲ３は通常１秒から３秒に設定しておき、タイマー手段Ｔ４である容量Ｃ２に充電されていた電圧がリレーＲ９に印加されて接点を一定時間持続（０．５秒から１秒）して起動を行い、音声記録手段２８であるＩＣレコーダーをＯＮにして、任意に録音した音声及び音楽をミキサーに出力する。リレーＲ５も同時に動作し第一音声入力端子９からの通常入力をミキシング手段１４のミキサー出力に切替え、放送設備２１の増幅手段２４がパワーアンプである場合には、このパワーアンプへミキサー出力の音声信号２０を出力する。
【００７０】
同時にリレーＲ６も動作し、第一制御出力端子１５へ放送制御信号１９を出力し、放送設備２１のチャイム発生手段２３や増幅手段２４であるパワーアンプを起動し、スピーカー２５、２６によりＩＣレコーダーからの音声とともに、無線携帯端末２又は３からの音声とともに放送することができる。また、パワーアンプの立ち上がり時間に合わせて、タイマーリレーＴＲ３で設定音を出すことができる。
【００７１】
リレーＲ８も同時に動作し、必要に応じ第二制御出力端子１６から各種機器を制御する接点として利用することができる。例えば、放送設備２１の放送エリアを変更したり、テレビカメラを起動させて、特定領域の映像を記録するなどを行うことができる。
【００７２】
無線携帯端末２又は３から無線信号４が切れるとアンテナ制御器５からの調整卓制御信号７がカットされてリレーＲ２がＯＦＦになり、リレーR４の接点より供給されている電圧がタイマーリレーＴＲ２へいき、設定時間の終了後（０から２０分）通常は３分程度カウントする。従って、無線携帯端末２又は３からの音声入力、即ち調整卓制御信号７が終了しても設定時間（３分程度）は放送設備２１を含むシステム全体が待機状態にあり、設定時間内は即座に放送できる状態を維持している。
【００７３】
なお、タイマーリレーＴＲ２の設定時間は緊急放送の終了後からカウントするため、設定時間が終了する間際に無線携帯端末２又は３から音声入力が入ると、改めてカウントすることになり、利便性が高い。タイマーリレーＴＲ２の設定時間内は、放送設備２１への音声信号２０はミキシング手段１４からの音声信号であるため、無線携帯端末２又は３から優先して放送することができる。
【００７４】
タイマーリレーＴＲ２の設定時間が終了後は、タイマーリレーＴＲ２がＯＮしてリレーＲ３へ供給している電圧をカットし、自己保持を解除して調整卓制御器８は作動状態が解除されて待機状態となる。
【００７５】
表示部３１は異なる色のＬＥＤ２個から構成されている。調整卓制御器８が待機状態のときは緑色に点灯し、緊急動作時には赤色に点灯し、通常放送時は緑色と赤色が同時に点灯する。
【００７６】
次に、第二制御入力端子１２に調整卓制御信号７が入力された場合について説明する。第二制御入力端子１２に５ボルトの調整卓制御信号７が入力されると、ダイオードＤ１を通して容量Ｃ１が充電され、抵抗ＲＳ１を通ってトランジスタＱ２のベースに電圧が印加され、リレーR１０が動作し、続いてリレーＲ５、Ｒ６、Ｒ７が動作する。リレーＲ６の動作により第一制御出力端子１５の接点を短絡して放送設備２１のチャイム発生手段２３や増幅手段２４のパワーアンプを起動して、放送設備２１が立ち上がる。リレーＲ５も動作し、ミキシング手段１４からの音声信号を音声出力端子１７へ出力し、放送設備２１へ無線携帯端末２又は３からの音声信号を出力する。
【００７７】
無線携帯端末２又は３からの無線信号４が切れて第二制御入力端子１２への調整卓制御信号７が切断されると、タイマー手段Ｔ５を構成している容量Ｃ１と抵抗ＲＳ１においては、容量Ｃ１に充電された電荷が抵抗ＲＳ１を通してトランジスタＱ２のベースへ放電され、約３０秒間リレーＲ１０を保持する。従って、この保持期間はリレーＲ５、Ｒ６、Ｒ７も保持される。この保持期間が経過すると、リレーＲ５、Ｒ６、Ｒ７は初期状態に復帰し、放送設備２１からの音声信号１８を音声出力端子１７へ出力し、第一制御出力端子１５、第三制御出力端子３０が通常状態へ復帰する。
【図面の簡単な説明】
【００７８】
【図１】本実施の形態における放送システムの機能ブロック図である。
【図２】本実施の形態における調整卓制御器の機能ブロック図である。
【図３】本実施の形態における調整卓制御器の動作を表すフローチャート図である。
【図４】本実施の形態における調整卓制御器の動作を表すフローチャート図である。
【図５】本実施の形態における調整卓制御器の回路図である。
【符号の説明】
【００７９】
１  放送システム
２、３  無線携帯端末
４  無線信号
５  アンテナ制御器
６、１８、２０  音声信号
７  調整卓制御信号
８  調整卓制御器
９  第一音声入力端子
１０  第二音声入力端子
１１  第一制御入力端子
１２  第二制御入力端子
１３  スイッチ手段
１４  ミキシング手段
１５  第一制御出力端子
１６  第二制御出力端子
１７  音声出力端子
１９  放送制御信号
２１  放送設備
２２  放送機器
２３  チャイム発生手段
２４  増幅手段
２５、２６  スピーカー又は警報機
２７  電源
２８  音声記録手段
３０  第三制御出力端子
３１  表示部
３２  マイク
【図１】
2007020129.tif 000003
【図２】
2007020129.tif 000004
【図３】
2007020129.tif 000005
【図４】
2007020129.tif 000006
【図５】
2007020129.tif 000007